(57)【要約】【課題】平面性を確保できるスクリーン基材及びスクリーンを提供すること。【解決手段】ロール状に巻取可能な可撓性を有するスクリーン基材４Ａであって、入射される光を反射する反射面を正面４１１側に有する基材本体４１を備え、基材本体４１における背面４１２側には、当該スクリーン基材４Ａを巻き取られた状態から引き出す方向である第１方向（Ａ方向）に沿ってそれぞれ配列され、第１方向に略直交し、かつ、スクリーン基材４Ａの背面４１２に沿う第２方向（Ｂ方向）に延出する複数の延出部４２２が配置され、複数の延出部４２２は、当該スクリーン基材４Ａを第２方向に展張させる剛性を有する。これによれば、引き出されたスクリーン基材４Ａに、第１方向を中心とするカールが生じることを抑制することができる。【選択図】図２
2010210970.tif 000002
【特許請求の範囲】
【請求項１】
ロール状に巻取可能な可撓性を有するスクリーン基材であって、
入射される光を反射する反射面を正面側に有する基材本体を備え、
前記基材本体における背面側には、当該スクリーン基材を巻き取られた状態から引き出す方向である第１方向に沿ってそれぞれ配列され、前記第１方向に略直交し、かつ、当該スクリーン基材の背面に沿う第２方向に延出する複数の延出部が配置され、
前記複数の延出部は、当該スクリーン基材を前記第２方向に展張させる剛性を有することを特徴とするスクリーン基材。
【請求項２】
請求項１に記載のスクリーン基材において、
可撓性を有し、かつ、前記基材本体の背面側に取り付けられる基部を備え、
前記複数の延出部は、前記基部から背面側に向かって起立するように、当該基部に一体的に設けられていることを特徴とするスクリーン基材。
【請求項３】
請求項２に記載のスクリーン基材において、
前記複数の延出部間には、当該スクリーン基材の背面側に向かって開口する切欠が形成されていることを特徴とするスクリーン基材。
【請求項４】
請求項１に記載のスクリーン基材において、
前記各延出部は、前記基材本体の背面に、前記第１方向に沿ってそれぞれ離間配置される複数の棒状体であることを特徴とするスクリーン基材。
【請求項５】
請求項１に記載のスクリーン基材において、
前記各延出部は、前記基材本体に一体的に形成されていることを特徴とするスクリーン基材。
【請求項６】
請求項５に記載のスクリーン基材において、
前記各延出部における前記第１方向に沿う断面形状は、当該第１方向における略中央に向かうに従って、当該スクリーン基材の背面側に向かって膨出する略円弧状であることを特徴とするスクリーン基材。
【請求項７】
請求項１から請求項６のいずれかに記載のスクリーン基材と、
前記スクリーン基材を巻き取る巻取軸と、
前記第１方向に伸縮して、前記スクリーン基材を前記第１方向に伸縮させる伸縮装置と、
を備えることを特徴とするスクリーン。
【請求項８】
請求項７に記載のスクリーンにおいて、
前記スクリーン基材の背面側には、当該スクリーン基材とともに前記巻取軸により巻き取られ、当該巻取軸により巻き取られる前記スクリーン基材の正面と背面との間に介装される緩衝材を備えることを特徴とするスクリーン。
【発明の詳細な説明】
【技術分野】
【０００１】
本発明は、入射される画像光を反射するスクリーン基材、及び、当該スクリーン基材を備えるスクリーンに関する。
【背景技術】
【０００２】
従来、プロジェクター等の画像投射装置により投射された画像光を反射して、当該画像光に応じた画像を表示するスクリーンが知られている。このようなスクリーンとして、収納ケース内にロール状に収納されるスクリーン基材（スクリーン布）を有し、当該スクリーン基材を収納ケースから引き出して利用する折り畳み式スクリーンが知られている（例えば、特許文献１参照）。
この特許文献１に記載の折り畳み式スクリーンでは、ロール状に巻き取られたスクリーン基材の引出方向に沿って伸長する主枠（パンタグラフリンク）を備え、当該主枠の伸長方向基端側は収納ケース内に固定され、先端側はスクリーン基材の一端と係合している。そして、主枠を伸長させた状態で、主枠が保持杵（ガススプリング）により支持されることにより、スクリーン基材の展張状態が維持される。
【先行技術文献】
【特許文献】
【０００３】
【特許文献１】特開２００４−３７５０１号公報
【発明の概要】
【発明が解決しようとする課題】
【０００４】
しかしながら、特許文献１に記載の折り畳み式スクリーンでは、展張されたスクリーン基材に引出方向を中心とするカールが生じることがあり、平面性を維持しにくいという問題がある。詳述すると、スクリーン基材における引出方向先端部には、当該引出方向に直交する方向に沿って延出し、中央にて主枠と係合する上縁桟が設けられる。しかしながら、当該引出方向先端部と基端部との間には、スクリーン基材の平面性を維持する構成が設けられていないため、当該平面性はスクリーン基材の剛性に依存する。このため、スクリーン基材の剛性が十分に高くないと、スクリーン基材における引出方向に直交する方向の両端が撓み、当該引出方向を中心とするカールが生じてしまう。
【０００５】
一方、基材本体全体の厚さ寸法を大きくするなどして、スクリーン基材の剛性を高めると、当該スクリーン基材の巻取時に、内径と外径との差が大きくなる。このため、巻取りに際して大きな巻取力を要するほか、当該スクリーン基材が適切に巻き取られない可能性がある。また、このように内径と外径との差が大きくなると、応力差が生じるため、スクリーン基材のカールが大きくなるという問題がある。
更に、スクリーン基材を外側に伸長させる構成を設けると、スクリーンの構成が複雑になるという問題がある。
このため、平面性を簡易な構成で確保できるスクリーン基材が要望されてきた。
【０００６】
本発明の目的は、平面性を確保できるスクリーン基材及びスクリーンを提供することである。
【課題を解決するための手段】
【０００７】
前記した目的を達成するために、本発明のスクリーン基材は、ロール状に巻取可能な可撓性を有するスクリーン基材であって、入射される光を反射する反射面を正面側に有する基材本体を備え、前記基材本体における背面側には、当該スクリーン基材を巻き取られた状態から引き出す方向である第１方向に沿ってそれぞれ配列され、前記第１方向に略直交し、かつ、当該スクリーン基材の背面に沿う第２方向に延出する複数の延出部が配置され、前記複数の延出部は、当該スクリーン基材を前記第２方向に展張させる剛性を有することを特徴とする。
【０００８】
本発明によれば、巻き取られた状態から引き出されたスクリーン基材は、その引出方向である第１方向に沿ってそれぞれ配列され、かつ、第２方向に沿って延出する複数の延出部の剛性により、第２方向に展張される。これによれば、前述のスクリーン基材を外側に伸長させる構成を採用することなく、引き出されたスクリーン基材にカールが生じることを抑制することができる。従って、簡易な構成で、スクリーン基材の平面性を確保することができる。
また、スクリーン基材がロール状に巻き取られる際には、各延出部の間隔が拡大されることにより、巻取力が大きくなることなく、スクリーン基材を隙間無く巻き取ることができる。これにより、巻き取られたスクリーン基材の径寸法を小さくすることができる。
【０００９】
本発明では、可撓性を有し、かつ、前記基材本体の背面側に取り付けられる基部を備え、前記複数の延出部は、前記基部から背面側に向かって起立するように、当該基部に一体的に設けられていることが好ましい。
本発明によれば、前述の各延出部が一体的に設けられた基部を、基材本体の背面側に取り付けることにより、前述の効果を奏するスクリーン基材を構成することができる。従って、スクリーン基材の製造を容易に行うことができる。
【００１０】
本発明では、前記複数の延出部間には、当該スクリーン基材の背面側に向かって開口する切欠が形成されていることが好ましい。
本発明によれば、スクリーン基材の背面側に向かって開口する切欠が各延出部間に形成されているので、スクリーン基材の巻取時に、各延出部の間隔を確実に拡大することができる。従って、巻取力の低減、及び、巻き取られたスクリーン基材の小型化という前述の効果を、確実に奏することができる。
【００１１】
或いは、本発明では、前記各延出部は、前記基材本体の背面に、前記第１方向に沿ってそれぞれ離間配置される複数の棒状体であることが好ましい。
このような棒状体は、金属及び合成樹脂等により形成することができ、当該棒状体の形状としては、例えば、第１方向に沿う断面形状が略円形状、略矩形状、略Ｄ字状、略Ｈ字状、略Ｌ字状、略Ｎ字状及び略Ｔ字状等の各種形状を挙げることができる。
本発明によれば、基材本体の背面に、前述の延出部として機能する棒状体を複数取り付けることにより、前述の効果を奏するスクリーン基材を構成することができる。従って、スクリーン基材の構成を簡略化することができるほか、当該スクリーン基材の製造を容易に行うことができる。また、各棒状体は、それぞれ離間配置されるので、スクリーン基材の巻取時に、当該各棒状体の間隔を確実に拡大することができ、前述の効果を確実に奏することができる。
【００１２】
或いは、本発明では、前記各延出部は、前記基材本体に一体的に形成されていることが好ましい。
本発明によれば、各延出部は基材本体に一体的に形成される。これによれば、基材本体を形成する生地の成形及び加工により、当該基材本体に各延出部を形成することができるので、スクリーン基材を構成する部品の点数増加を防ぐことができ、当該スクリーン基材の構成を簡略化することができる。また、スクリーン基材を巻き取る際には、各延出部が基材本体とともに変形するので、当該スクリーン基材の巻取力を増大させずに、スクリーン基材を適切に巻き取ることができる。
【００１３】
本発明では、前記各延出部における前記第１方向に沿う断面形状は、当該第１方向における略中央に向かうに従って、当該スクリーン基材の背面側に向かって膨出する略円弧状であることが好ましい。
本発明によれば、各延出部の第１方向に沿う断面形状が略円弧状であることにより、スクリーン基材が巻き取られ、延出部に対向される基材本体の正面が当該延出部により押圧された場合でも、当該延出部の外縁形状に応じた跡や傷が付くことを抑制することができる。従って、スクリーン基材の劣化を防ぐことができる。
【００１４】
また、本発明のスクリーンは、前述のスクリーン基材と、前記スクリーン基材を巻き取る巻取軸と、前記第１方向に伸縮して、前記スクリーン基材を前記第１方向に伸縮させる伸縮装置と、を備えることを特徴とする。
本発明によれば、前述のスクリーン基材と同様の効果を奏することができるほか、巻取軸により巻き取られたスクリーン基材が伸縮装置により伸長されるので、当該スクリーン基材に第１方向に沿う張力を加えることができる。従って、スクリーン基材が引き出された際の平面性を一層向上することができる。
【００１５】
本発明では、前記スクリーン基材の背面側には、当該スクリーン基材とともに前記巻取軸により巻き取られ、当該巻取軸により巻き取られる前記スクリーン基材の正面と背面との間に介装される緩衝材を備えることが好ましい。
このような緩衝材として、ゴム、ウレタン樹脂及び発泡樹脂等のシートを例示することができる。
本発明によれば、巻取軸によるスクリーン基材の巻取りの際には、当該スクリーン基材とともに緩衝材が巻き取られる。この緩衝材は、スクリーン基材の背面と、次巻き目の正面との間に介装されるので、当該背面に位置する延出部により、正面に傷や延出部の跡が付くことを防ぐことができる。従って、スクリーン基材の劣化を確実に防止することができ、スクリーンの長寿命化を図ることができる。
【図面の簡単な説明】
【００１６】
【図１】本発明の第１実施形態に係る折り畳み式スクリーンを示す縦断面図。
【図２】前記実施形態におけるスクリーン基材の一部を拡大して示す縦断面図。
【図３】本発明の第２実施形態に係る折り畳み式スクリーンが備えるスクリーン基材の一部を拡大して示す縦断面図。
【図４】本発明の第３実施形態に係る折り畳み式スクリーンが備えるスクリーン基材の一部を拡大して示す縦断面図。
【図５】本発明の第４実施形態に係る折り畳み式スクリーンが備えるスクリーン基材の一部を拡大して示す縦断面図。
【発明を実施するための形態】
【００１７】
〔１．第１実施形態〕
以下、本発明の第１実施形態を図面に基づいて説明する。
〔折り畳み式スクリーンの概略構成〕
図１は、本実施形態に係る折り畳み式スクリーン１Ａを示す縦断面図である。
本実施形態に係る折り畳み式スクリーン（以下、「スクリーン」と略す場合がある）１Ａは、プロジェクター等の画像投射装置から入射される画像光を反射して、当該画像光に応じた画像を表示する表示領域を形成するものである。このスクリーン１Ａは、筐体２と、スプリングロール３と、当該スプリングロール３に一端が係合するスクリーン基材４Ａと、緩衝材５と、これらスクリーン基材４Ａ及び緩衝材５の他端と係合する伸縮装置６とを備えている。
このうち、筐体２は、スプリングロール３、スクリーン基材４Ａ、緩衝材５及び伸縮装置６を内部に収納する箱状筐体２１と、当該箱状筐体２１が有する開口部２１１を閉塞する蓋部材（図示省略）とを有し、これらは金属や合成樹脂等により形成されている。この開口部２１１を介して、スプリングロール３に巻き取られたスクリーン基材４Ａが、伸縮装置６により、箱状筐体２外部に引き出される。
【００１８】
スプリングロール３は、本発明の巻取軸に相当する。このスプリングロール３は、箱状筐体２１の底面に沿って回動自在に取り付けられる。すなわち、箱状筐体２１が水平面上に設置された場合には、当該スプリングロール３の軸方向は、水平方向に略一致する。このようなスプリングロール３には、スクリーン基材４Ａの一端（下端）が係合し、当該スクリーン基材４Ａを巻き取る方向（図１におけるＡ方向の反対方向）に付勢して、伸縮装置６が収縮された際に、スクリーン基材４Ａ及び緩衝材５を巻き取る。なお、スクリーン基材４Ａを巻き取る巻取軸として、本実施形態ではスプリングロール３を採用したが、モーター等の駆動装置により回動することでスクリーン基材４Ａを巻き取る巻取軸を備えた巻取装置を採用してもよい。
【００１９】
緩衝材５は、スクリーン基材４Ａとともにスプリングロール３により巻き取られ、当該スクリーン基材４Ａにおいて反射面が形成される正面４１１を保護する保護シートである。この緩衝材５は、可撓性を有する素材（例えば、ゴム、ウレタン樹脂及び発泡樹脂等により形成される薄いシート）により、スクリーン基材４Ａと略同寸法に形成されている。このような緩衝材５の下端は、詳しい図示を省略するが、スプリングロール３に係合し、上端は、伸縮装置６を構成する支持部材６２により支持される。
【００２０】
伸縮装置６は、４つのリンクが互いに回動する略菱形状のパンタグラフリンク６１と、支持部材６２と、一対のガススプリング（図示省略）とを備える。
このうち、パンタグラフリンク６１の下端は、箱状筐体２１内部に設置され、上端には、スクリーン基材４Ａ及び緩衝材５の上端を支持する支持部材６２が取り付けられる。
支持部材６２は、スプリングロール３の軸方向と略平行に延出し、スクリーン基材４Ａ及び緩衝材５の上端を支持する棒状部材である。
【００２１】
このような伸縮装置６では、パンタグラフリンク６１がスプリングロール３の付勢力に抗して、図１におけるＡ方向に伸長することにより、当該スプリングロール３からスクリーン基材４Ａ及び緩衝材５がＡ方向に引き出される。すなわち、このＡ方向は、スクリーン基材４Ａの引出方向である。このように引き出されたパンタグラフリンク６１における下側の一対のリンクは、一対のガススプリングによりそれぞれ支持され、これにより、パンタグラフリンク６１の高さ位置が維持される。
なお、本実施形態では、伸縮装置６は、パンタグラフリンク６１、支持部材６２及びガススプリングを備える構成としたが、これに限らず、例えば伸縮する複数段のロッドの先端に支持部材６２を設ける構成としてもよい。
【００２２】
〔スクリーン基材の構成〕
図２は、スクリーン基材４Ａの一部を拡大して示す縦断面図である。
スクリーン基材４Ａは、本実施形態では１００インチ程度の寸法を有し、前述のスプリングロール３により巻き取られた巻取状態から、伸縮装置６によりＡ方向（本発明の第１方向）に引き出された引出状態となることにより、入射される画像光に応じた画像の表示領域を形成する。このスクリーン基材４Ａは、図１及び図２に示すように、可撓性を有するシート状に形成されており、当該スクリーン基材４Ａは、入射される画像光を反射する反射面を正面４１１側に有する基材本体４１と、当該基材本体４１における背面４１２の略全面に貼付される剛性体４２とを備える。
【００２３】
このうち、剛性体４２は、本実施形態では、いわゆるプラスチックダンボールで構成されており、全体として、スクリーン基材４Ａを巻取可能な剛性を有している。このような剛性体４２は、図２に示すように、基部４２１と、当該基部４２１から背面側に向かって起立する複数の延出部４２２と、当該各延出部４２２の間に形成される複数の切欠４２４とを有する。
【００２４】
基部４２１は、可撓性を有し、背面４１２の略全面を覆うように当該背面４１２に貼付される。この基部４２１の厚さ寸法は、基材本体４１の厚さ寸法と同程度に設定されている。
延出部４２２は、基部４２１に一体的に形成されている。具体的に、延出部４２２は、Ａ方向に沿って等間隔に基部４２１に配列され、スプリングロール３の軸方向に沿うＢ方向（本発明の第２方向）に沿って延出している。このＢ方向は、Ａ方向に直交し、かつ、背面４１２に沿う方向である。これら延出部４２２は、Ａ方向に沿う断面形状が横向きの略Ｔ字状であり、当該延出部４２２の基部４２１からの起立方向先端には、当該起立方向に対する直交方向に突出する突出部４２３が形成されている。この直交方向は、Ａ方向及びＡ方向の反対方向である。
切欠４２４は、各延出部４２２の間に、Ｂ方向に沿って延出し、かつ、スクリーン基材４Ａの背面側に向かって開口するように形成されている。
【００２５】
このような剛性体４２が基材本体４１に取り付けられることにより、基材本体４１のみからなるスクリーン基材に比べ、スクリーン基材４Ａでは、厚さ寸法が大きくなる。そして、背面４１２に貼付される基部４２１から起立する各延出部４２２は、Ａ方向に沿って等間隔に配列され、かつ、Ｂ方向に沿って延出する。このため、スクリーン基材４ＡにおけるＢ方向の剛性を高めることができ、スクリーン基材４Ａが引出状態となった際に、Ａ方向を中心とするカールが生じることを抑制することができる。
【００２６】
一方、スクリーン基材４Ａがスプリングロール３により巻き取られる際には、各切欠４２４の開口面積、すなわち、各延出部４２２の間隔が、巻き取られたスクリーン基材４Ａの内径と外径との差に応じて拡大される。これにより、切欠４２４が形成されていないスクリーン基材４Ａに比べ、巻取力を小さくすることができるほか、当該スクリーン基材４Ａを隙間無く巻き取ることができる。この際、スクリーン基材４Ａの背面側に位置する緩衝材５が、当該スクリーン基材４Ａとともに、スプリングロール３により巻き取られるので、画像光を反射する正面４１１に延出部４２２による傷や跡が付くことを防ぐことができる。
【００２７】
更に、各延出部４２２の断面形状は横向きの略Ｔ字状であるので、各延出部４２２が近接するようにスクリーン基材４Ａが撓んでも、隣接する突出部４２３同士が互いに当接することで、当該スクリーン基材４Ａの撓みを規制することができる。従って、スクリーン基材４Ａの平面度を一層高めることができる。
【００２８】
以上説明した本実施形態に係るスクリーン１Ａによれば、以下の効果がある。
（１）スクリーン基材４Ａは、Ａ方向に沿って配列され、かつ、Ｂ方向に沿って延出する複数の延出部４２２が一体的に形成された基部４２１が、基材本体４１に取り付けられた構成を有する。これによれば、スクリーン基材４ＡのＢ方向の剛性を高めることができるので、スクリーン基材を外側に展張させる構成を採用することなく、引き出されたスクリーン基材４ＡにＡ方向を中心とするカールが生じることを抑制することができる。従って、簡易な構成でスクリーン基材４Ａの平面性を確保することができる。
【００２９】
（２）スクリーン基材４Ａは、基材本体４１の背面４１２に、各延出部４２２が一体的に形成された基部４２１を取り付けることにより構成されるので、スクリーン基材４Ａの製造を容易に行うことができる。
（３）各延出部４２２は、背面側に向かって開口する切欠４２４を介してそれぞれ離間配置されている。これによれば、スクリーン基材４Ａの巻取時に基部４２１が撓んで、各切欠４２４の開口面積、すなわち、各延出部４２２の間隔が、当該スクリーン基材４Ａの内径と外径との差に応じて拡大される。従って、切欠４２４が形成されていないスクリーン基材に比べ、巻取力を確実に小さくすることができるほか、厚さ寸法が大きくなったスクリーン基材４Ａを隙間無く巻き取ることができる。また、これにより、巻き取られたスクリーン基材４Ａの径寸法を小さくすることができ、スクリーン１Ａの小型化を図ることができる。
【００３０】
（４）スプリングロール３により巻き取られたスクリーン基材４Ａは、伸縮装置６により、当該スプリングロール３の付勢力に抗しつつＡ方向に伸長される。これにより、スクリーン基材４Ａには、Ａ方向及び当該Ａ方向とは反対方向に張力が加わるので、当該スクリーン基材４Ａが引き出された際のＡ方向の平面性を確保することができ、プロジェクター等から投射された画像光に応じた画像を適切に表示することができる。
【００３１】
（５）スクリーン基材４Ａは、当該スクリーン基材４Ａの背面側に設けられた緩衝材５とともに、スプリングロール３により巻き取られる。この緩衝材５は、巻き取られるスクリーン基材４Ａの背面と、次巻き目の正面との間に介装されるので、当該緩衝材５により、スクリーン基材４Ａの背面に位置する延出部４２２と、反射面を有する正面（基材本体４１の正面４１１）とが直接接触することを防ぐことができる。従って、正面４１１に傷や延出部４２２の跡が付くことを防ぐことができるので、スクリーン基材４Ａの劣化を確実に防止することができ、スクリーン１Ａの長寿命化を図ることができる。
【００３２】
〔２．第２実施形態〕
次に、本発明の第２実施形態について説明する。
本実施形態に係るスクリーンは、前述のスクリーン１Ａと同様の構成を備えるが、スクリーン基材の構成において、本実施形態のスクリーンとスクリーン１Ａとは相違する。なお、以下の説明では、既に説明した部分と同一または略同一である部分については、同一の符号を付して説明を省略する。
【００３３】
図３は、本実施形態に係るスクリーン１Ｂが備えるスクリーン基材４Ｂの一部を拡大して示す縦断面図である。
本実施形態に係るスクリーン１Ｂは、スクリーン基材４Ａに代えてスクリーン基材４Ｂを備えるほかは、前述のスクリーン１Ａと同様の構成を備える。
スクリーン基材４Ｂは、図３に示すように、基材本体４１と、当該基材本体４１の背面４１２に接着等により取り付けられる複数の棒状体４３とを備え、これにより、当該各棒状体４３の間には、スクリーン基材４Ｂの背面側に向かって開口する凹部４４が形成される。
【００３４】
このうち、各棒状体４３は、本発明の延出部に相当し、合成樹脂製又は金属製の略円柱状部材として形成されている。これら棒状体４３は、Ａ方向に沿って所定間隔を隔てて等間隔に配設され、かつ、各棒状体４３の軸方向（延出方向）がＢ方向と略一致するようにそれぞれ配置される。すなわち、棒状体４３はＢ方向に延出する。
【００３５】
以上説明した本実施形態に係るスクリーン１Ｂによれば、前述のスクリーン１Ａの効果（３）、（４）及び（５）と同様の効果があるほか、以下の効果がある。
（６）基材本体４１の背面４１２に、Ｂ方向に沿って延出する複数の棒状体４３が、Ａ方向に沿ってそれぞれ配列されるので、当該各棒状体４３の剛性により、引き出されたスクリーン基材４Ｂは、Ｂ方向に展張される。これによれば、スクリーン基材４Ｂを外側に伸長させる構成を採用することなく、引き出されたスクリーン基材４ＢにＡ方向を中心とするカールが生じることを抑制することができる。従って、簡易な構成でスクリーン基材４Ｂの平面性を確保することができる。
また、スクリーン基材４Ｂは、基材本体４１の背面４１２に、棒状体４３を複数取り付けることにより構成されるので、スクリーン基材４Ｂを容易に製造することができる。
【００３６】
〔３．第３実施形態〕
次に、本発明の第３実施形態について説明する。
本実施形態に係るスクリーンは、前述のスクリーン１Ｂと同様の構成を備えるが、スクリーン基材を構成する基材本体の背面側に設けられる棒状体の形状において、本実施形態に係るスクリーンとスクリーン１Ｂとは相違する。なお、以下の説明では、既に説明した部分と同一または略同一である部分については、同一の符号を付して説明を省略する。
【００３７】
図４は、本実施形態に係るスクリーン１Ｃが備えるスクリーン基材４Ｃの一部を拡大して示す縦断面図である。
本実施形態に係るスクリーン１Ｃは、スクリーン基材４Ｂに代えてスクリーン基材４Ｃを備えるほかは、前述のスクリーン１Ｂと同様の構成を備える。
スクリーン基材４Ｃは、図４に示すように、基材本体４１と、当該基材本体４１の背面４１２側に接着等により取り付けられる複数の棒状体４５とを備え、これにより、当該各棒状体４５の間には、スクリーン基材４Ｃの背面側に向かって開口する凹部４６が形成される。
【００３８】
このうち、各棒状体４５は、それぞれの軸方向がＢ方向に沿うように、すなわち、Ｂ方向に沿って延出するように、Ａ方向に沿って所定間隔を隔てて等間隔に配置される。このような各棒状体４５は、Ａ方向に沿う断面形状が略Ｈ字状を有する合成樹脂製又は金属製の部材であり、それぞれ基部４５１、延出部４５２及び突出部４５３を備える。
基部４５１は、Ｂ方向に沿って延出する横長状に形成され、背面４１２に貼付される。
延出部４５２は、基部４５１におけるＡ方向の略中央から背面側に向かって起立するとともに、Ｂ方向に沿って延出する。
突出部４５３は、延出部４５２の起立方向先端に位置し、当該起立方向に直交する方向（Ａ方向及びＡ方向の反対方向）に向かって突出する。この突出部４５３と基部４５１とは略平行となる。
以上説明した本実施形態に係るスクリーン１Ｃによれば、前述のスクリーン１Ａ，１Ｂと同様の効果がある。
【００３９】
〔４．第４実施形態〕
次に、本発明の第４実施形態について説明する。
本実施形態に係るスクリーンは、前述のスクリーン１Ａ〜１Ｃと同様の構成を備える。ここで、当該スクリーン１Ａ〜１Ｃでは、基材本体４１の背面４１２側に剛性体４２及び棒状体４３，４５を取り付けることにより、スクリーン基材４Ａ〜４ＣのＢ方向の剛性を高めていた。これに対し、本実施形態のスクリーンでは、基材本体の背面側に延出部を一体的に形成することで、当該剛性を高めている。この点で、本実施形態のスクリーンと、前述のスクリーン１Ａ〜１Ｃとは相違する。なお、以下の説明では、既に説明した部分と同一または略同一である部分については、同一の符号を付して説明を省略する。
【００４０】
図５は、本実施形態に係るスクリーン１Ｄが備えるスクリーン基材４Ｄの一部を拡大して示す縦断面図である。
本実施形態に係るスクリーン１Ｄは、スクリーン基材４Ａに代えてスクリーン基材４Ｄを備えるほかは、前述のスクリーン１Ａと同様の構成を備える。
スクリーン基材４Ｄは、図５に示すように、正面４１Ｄ１が前述の画像光の反射面となる可撓性を有する基材本体４１Ｄにより構成されている。この基材本体４１Ｄの背面４１Ｄ２側には、Ａ方向に沿って等間隔に形成され、かつ、Ｂ方向に沿って延出する複数の延出部４１Ｄ３が基材本体４１Ｄと一体的に形成されている。
【００４１】
このうち、各延出部４１Ｄ３は、当該Ａ方向の端部から中央に向かうに従って膨出量が大きくなる形状を有し、本実施形態では、Ａ方向に沿う断面形状が略半円形状となるように形成されている。このため、背面４１Ｄ２側には、各延出部４１Ｄ３間に凹部４１Ｄ４が形成される。なお、このような延出部４１Ｄ３は、基材本体４１Ｄを加熱した後、当該基材本体４１Ｄに型を押圧するなどして形成することができる。
【００４２】
以上説明した本実施形態に係るスクリーン１Ｄによれば、前述のスクリーン１Ａの効果、（４）及び（５）と同様の効果があるほか、以下の効果がある。
（７）スクリーン基材４Ｄの背面側には、Ａ方向に沿ってそれぞれ配列され、Ｂ方向に沿って延出する複数の延出部４１Ｄ３が形成されているので、延出部４１Ｄ３が形成されていないスクリーン基材に比べて、スクリーン基材４Ｄの厚さ寸法を部分的に大きくすることができ、当該スクリーン基材４ＤのＢ方向の剛性を高めることができる。これによれば、スクリーン基材を外側に伸長させる構成を採用することなく、スクリーン基材４ＤをＢ方向に展張させることができるので、引き出されたスクリーン基材４ＤにＡ方向を中心とするカールが生じることを抑制することができる。従って、簡易な構成でスクリーン基材４Ｄの平面性を確保することができる。
【００４３】
各延出部４１Ｄ３は、基材本体４１Ｄに一体的に形成されているので、スクリーン基材４Ｄを構成する部品点数の増加を防ぐことができ、当該スクリーン基材４Ｄの構成を簡略化することができる。また、スクリーン基材４Ｄを巻き取る際には、各延出部４１Ｄ３が基材本体４１Ｄの変形に応じて変形するので、内径と外径との差が大きくなることを抑えることができ、厚さ寸法が大きいスクリーン基材４Ｄが巻取りづらくなることを防ぐことができる。
【００４４】
各延出部４１Ｄ３のＡ方向に沿う断面形状が略半円形状であることにより、スクリーン基材４Ｄがスプリングロール３によりロール状に巻き取られた際に、延出部４１Ｄ３と対向される次巻き目の正面４１Ｄ１に、傷や延出部４１Ｄ３の跡が付くことを抑制することができる。従って、スクリーン基材４Ｄの劣化を防ぐことができる。
【００４５】
〔５．実施形態の変形〕
本発明は、前述の実施形態に限定されるものではなく、本発明の目的を達成できる範囲での変形、改良等は、本発明に含まれるものである。
前記第１実施形態では、延出部４２２は、当該延出部４２２における基部４２１からの起立方向先端に、当該起立方向に対する直交方向に突出する突出部４２３を有するとしたが、本発明はこれに限らない。同様に、前記第３実施形態では、棒状体４５は、突出部４５３を有するとしたが、本発明はこれに限らない。すなわち、突出部４２３，４５３は無くてもよい。また、基部４２１から背面側に起立する延出部４２２の断面形状は、横向きの略Ｔ字状であるとしたが、これに限らず、略Ｄ字状、略Ｌ字状及び略Ｎ字状等を有していてもよい。更に、スクリーン基材の巻取時に、延出部間の間隔が拡大される当該延出部の形状（例えば、略Ｄ字状）であれば、当該各延出部間に切欠が形成されていなくてもよい。すなわち、各延出部がＡ方向に沿って隙間無く連続して形成されていてもよい。
【００４６】
前記第２実施形態では、Ａ方向に沿う断面形状が略円形状である棒状体４３を延出部として採用し、前記第３実施形態では、Ａ方向に沿う断面形状が略Ｈ字状である棒状体４５を延出部として採用したが、本発明はこれに限らない。例えば、当該断面形状が略矩形状である棒状体を採用してもよく、また、当該断面形状が略Ｄ字状、略Ｌ字状、略Ｎ字状または略Ｔ字状等の棒状体を採用してもよい。すなわち、延出部として基材本体の背面に取り付けられる棒状体の形状は問わない。なお、背面側が湾曲面である棒状体であれば、スクリーン基材が巻き取られた際に、当該スクリーン基材の正面に傷等が付くことを抑制することができる。
【００４７】
前記第４実施形態では、延出部４１Ｄ３は、Ａ方向に沿う断面形状が略半円形状となるように形成されるとしたが、本発明はこれに限らない。例えば、それぞれＡ方向に沿って配列され、Ｂ方向に沿ってそれぞれ延出する延出部であれば、当該断面形状が略多角形状（例えば、矩形状及び三角形状）でもよい。すなわち、基材本体に一体化して形成された延出部の形状及び寸法は問わない。また、延出部４１Ｄ３は、背面４１Ｄ２にＡ方向に沿って連続して形成されていなくてもよく、互いに所定間隔を隔てて形成されていてもよい。なお、前述の棒状体と同様に、背面側が湾曲面となる延出部を形成すれば、スクリーン基材を巻き取った際に、当該スクリーン基材の正面に傷等が付くことを抑制することができる。
【００４８】
前記各実施形態では、設置面上に載置される折り畳み式スクリーン１Ａ〜１Ｄに、スクリーン基材４Ａ〜４Ｄを採用したが、本発明はこれに限らず、天井等の壁面に固定されるスクリーンに、当該スクリーン基材４Ａ〜４Ｄを採用してもよい。すなわち、前記各実施形態で示したＡ方向、すなわち、スクリーン基材４Ａ〜４Ｄの引出方向である本発明の第１方向は、鉛直方向の反対方向に限らず、適宜設定してよく、例えば、鉛直方向でもよく、水平方向であってもよい。また、当該第１方向に応じて、本発明の第２方向を設定すればよい。
【産業上の利用可能性】
【００４９】
本発明は、入射された画像光を反射するスクリーンに利用でき、特にスクリーン基材がロール状に巻き取られる折り畳み式スクリーンに好適に利用することができる。
【符号の説明】
【００５０】
１Ａ〜１Ｄ…折り畳み式スクリーン（スクリーン）、３…スプリングロール（巻取軸）、４Ａ〜４Ｄ…スクリーン基材、５…緩衝材、６…伸縮装置、４１，４１Ｄ…基材本体、４３，４５…棒状体（延出部）、４２１…基部、４２２…延出部、４２４…切欠、４１Ｄ３…延出部、Ａ…方向（第１方向）、Ｂ…方向（第２方向）。
【図１】
2010210970.tif 000003
【図２】
2010210970.tif 000004
【図３】
2010210970.tif 000005
【図４】
2010210970.tif 000006
【図５】
2010210970.tif 000007